(57)【要約】【課題】接続端子付メモリを筆記具の外筒後部に容易に着脱可能な筆記具を提供すること。【解決手段】外筒（１０１＋１０６）の後端に形成されたメモリ挿入口（１０６ｆ）と、前記メモリ挿入口（１０６ｆ）からメモリ収容孔（１０６ｃ）に挿入可能且つ前記メモリ収容孔（１０６ｃ）内に挿入された状態で前記外筒（１０１＋１０６）に着脱可能に装着される前記接続端子付メモリ（１１２）と、前記メモリ挿入口（１０６ｆ）を閉塞し且つ前記メモリ挿入口（１０６ｆ）よりも後方に突出する前記尾栓（１１４）であって、前記外筒（１０１＋１０６）に対する前記接続端子付メモリ（１１２）の着脱作業時に作業者により把持される被ツマミ部（１１４ａ）を有する前記尾栓（１１４とを備えた筆記具１。【選択図】図１８
2005319669.tif 000002
【特許請求の範囲】
【請求項１】
次の構成要件（Ａ01）〜（Ａ05）を備えた筆記具、
（Ａ01）メモリ収容孔が後部に設けられ、前記メモリ収容孔の前側に筆記部材を収容する筆記部材収容孔が設けられた外筒、
（Ａ02）前記筆記部材収容孔に収容された前記筆記部材であって筆記部材の前端が前記筆記部材収容孔の前端から前方に突出する前記筆記部材、
（Ａ03）外部メモリ接続機器に接続され且つ前記メモリ収容孔に収容される接続端子部とデータを記憶するメモリ本体と前記接続端子部とは反対側に設けられた尾栓とを有する接続端子付メモリであって前記外部メモリ接続機器に接続された状態で前記メモリ本体に記憶されたデータの読取りが可能な前記接続端子付メモリを挿入するために前記外筒の後端に形成されたメモリ挿入口、
（Ａ04）前記メモリ挿入口からメモリ収容孔に挿入・離脱することにより前記外筒に着脱可能に装着される前記接続端子付メモリ、
（Ａ05）前記接続端子付メモリが前記外筒に装着された状態で前記メモリ挿入口を閉塞し且つ前記メモリ挿入口よりも後方に突出する前記尾栓であって、前記外筒に対する前記接続端子付メモリの着脱作業時に作業者により把持される被ツマミ部を有する前記尾栓。
【請求項２】
次の構成要件（Ａ06）を備えた請求項１記載の筆記具、
（Ａ06）前記メモリ収容孔内のメモリ装着位置に装着された接続端子付メモリが軸方向に容易に移動しないように係止する係止部を有する前記メモリ収容孔、
【請求項３】
次の構成要件（Ａ07），（Ａ08）を備えた請求項１記載の筆記具、
（Ａ07）前記メモリ収容孔内のメモリ装着位置と前記メモリ収容孔から外側に引き出された離脱位置との間で前記接続端子付メモリが軸方向に移動する際に前記接続端子付メモリを軸方向に移動可能且つ軸回りに回転不能にガイドするメモリガイド部が形成された前記メモリ収容孔、
（Ａ08）前記メモリガイド部にガイドされる被ガイド部が形成された前記接続端子付メモリ。
【請求項４】
次の構成要件（Ａ01）〜（Ａ03），（Ａ010）〜（Ａ012）を備えた筆記具、
（Ａ01）メモリ収容孔が後部に設けられ、前記メモリ収容孔の前側に筆記部材を収容する筆記部材収容孔が設けられた外筒、
（Ａ02）前記筆記部材収容孔に収容された前記筆記部材であって筆記部材の前端が前記筆記部材収容孔の前端から前方に突出する前記筆記部材、
（Ａ03）外部メモリ接続機器に接続され且つ前記メモリ収容孔に収容される接続端子部とデータを記憶するメモリ本体と前記接続端子部とは反対側に設けられた尾栓とを有する接続端子付メモリであって前記外部メモリ接続機器に接続された状態で前記メモリ本体に記憶されたデータの読取りが可能な前記接続端子付メモリを挿入するために前記外筒の後端に形成されたメモリ挿入口、
（Ａ010）前記メモリ挿入口からメモリ収容孔に挿入可能且つ前記メモリ収容孔内に挿入・離脱することにより前記外筒に着脱可能に装着されるメモリ装着筒であって、前記接続端子付メモリを挿入するためのメモリ装着孔と前記メモリ装着孔の後端に形成されたメモリ着脱口とを有する前記メモリ装着筒、
（Ａ011）前記メモリ着脱口からメモリ装着孔に挿入・離脱することにより前記メモリ装着筒に着脱可能に装着される前記接続端子付メモリ、
（Ａ012）前記接続端子付メモリが前記メモリ装着筒に装着された状態で前記メモリ着脱口を閉塞し且つ前記メモリ着脱口よりも後方に突出する前記尾栓であって、前記メモリ装着筒に対する前記接続端子付メモリの着脱作業時に作業者により把持される被ツマミ部を有する前記尾栓。
【請求項５】
次の構成要件（Ａ013）を備えた請求項４記載の筆記具、
（Ａ013）前記メモリ装着孔内のメモリ装着位置に装着された接続端子付メモリが軸方向に容易に移動しないように係止する係止部を有する前記メモリ装着筒。
【請求項６】
次の構成要件（Ａ014），（Ａ015）を備えた請求項４記載の筆記具、
（Ａ014）前記メモリ装着孔内のメモリ装着位置と前記メモリ装着孔から外側に引き出された離脱位置との間で前記接続端子付メモリが軸方向に移動する際に前記接続端子付メモリを軸方向に移動可能且つ軸回りに回転不能にガイドするメモリガイド部が形成された前記メモリ装着筒、
（Ａ015）前記メモリガイド部にガイドされる被ガイド部を有する前記接続端子付メモリ。
【請求項７】
次の構成要件（Ａ016）を備えた請求項６記載の筆記具、
（Ａ016）前記メモリ装着孔内のメモリ装着位置に前記接続端子付メモリが移動した状態で、前記接続端子付メモリが前記軸回りに所定角度回転可能に形成され且つ、前記接続端子付メモリが軸方向に容易に移動しないように係止する係止部。
【請求項８】
次の構成要件（Ａ017），（Ａ018）を備えた請求項１ないし７のいずれか記載の筆記具、
（Ａ017）前記外部接続機器に接続された状態で点灯し、前記メモリ本体に記憶されたデータが読み取られる際に点滅する点灯部材を有する前記接続端子付メモリ、
（Ａ018）前記点灯部材から出射する光が透過する光透過材料により構成された前記尾栓。
【発明の詳細な説明】
【技術分野】
【０００１】
本発明は、ボールペンの芯部材、シャープペンシルの芯部材等の筆記部材を外筒により保持する筆記具に関する。
本明細書で前記「筆記具」とは、「ボールペン、万年筆、シャープペンシル、または外筒から出没する筆記具あるいは複数の筆記部材を有する複合筆記具」等の、「文字や画像等を用紙上に記入可能な種々の筆記具を意味する。
【背景技術】
【０００２】
前記従来の筆記具において、外筒の後部に、筆記部材以外の種々の部品を装着したものが従来公知である。そして、データを記憶するＵＳＢメモリを外筒の後部に設けた筆記具として次の特許文献１が従来公知である。
（特許文献１）特開２００３−１８７１９８号公報
この特許文献１には、外筒の前端部にペン先（筆記部材）を取付け、後端部にＵＳＢ端子とメモリ本体とを有するＵＳＢメモリが取り付けられた筆記具が示されている。
【特許文献１】特開２００３−１８７１９８号公報
【発明の開示】
【発明が解決しようとする課題】
【０００３】
（前記特許文献１記載の技術の問題点）
前記特許文献１記載の技術では、外筒の後端部に前記ＵＳＢ端子とメモリ本体とを有するＵＳＢメモリが固定されている。この特許文献１記載の技術のように、筆記具の外筒にＵＳＢメモリが固定された構造のものでは、ＵＳＢメモリを使用するときには筆記具を使用できないという問題点があった。
【０００４】
前記問題点を解決するには、ＵＳＢメモリを前記筆記具に着脱自在に装着すれば良く、筆記具の外筒内部に小型のＵＳＢメモリを収容するメモリ収容部を設け、前記メモリ収容部内にＵＳＢメモリを収納する構成が見いだせる。その場合でも、ＵＳＢメモリの端子部分の先端を保護するための保護キャップが必要になる。前記保護キャップを装着したＵＳＢメモリを外筒内部に収容した筆記具の場合には、ＵＳＢメモリを使用すると同時に筆記具も使用することが可能になる。
【０００５】
前記外筒内部にＵＳＢメモリを収容する構成としては、次の構成（１），（２）が考えられる。
（１）前記筆記具の外筒を前側外筒と後部外筒とで構成し、前側外筒には筆記具を取付け、後側外筒の内部にＵＳＢメモリ収容部を設ける。
（２）前記筆記具の外筒の後部の内側にＵＳＢメモリを収容する円筒状のメモリ収容部を形成し、前記円筒状のメモリ収容部にＵＳＢメモリを挿入するためのメモリ挿入口を形成する。前記メモリ挿入口は着脱可能な尾栓（キャップ）により閉塞する。
【０００６】
前記構成（１）では、前記ＵＳＢメモリ収容部にＵＳＢメモリを収容したり、前記収納したＵＳＢメモリを取り出したりする際には、必ず前側外筒と後側外筒とを分離したり連結したりする作業が必要になる。この作業に要する時間が長いという問題点がある。
前記構成（２）では、前記ＵＳＢメモリ収容部にＵＳＢメモリを収容したり、前記収納したＵＳＢメモリを取り出したりする際には、ＵＳＢメモリを前記メモリ挿入口からＵＳＢメモリ収容部に収納したり、前記収納したＵＳＢメモリを取り出したりする作業を行う前に必ず前記尾栓（キャップ）を取り外す作業が必要になる。この場合、前記尾栓（キャップ）は小さいので、紛失し易いという問題点がある。
【０００７】
本発明は前記事情に鑑み、次の（Ｏ01）〜（Ｏ03）の記載内容を技術的課題とする。
（Ｏ01）接続端子付メモリを筆記具の外筒後部に容易に着脱可能な筆記具を提供すること。
（Ｏ02）接続端子付メモリを外筒後部に容易に着脱可能な筆記具において、筆記具の部品の紛失を生じ難くすること。
（Ｏ03）接続端子付メモリを外筒後部に容易に着脱可能な筆記具において、接続端子付メモリを使用しながら、筆記を行える筆記具を提供すること。
【課題を解決するための手段】
【０００８】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記課題を解決するために第１発明の筆記具は、次の構成要件（Ａ01）〜（Ａ05）を備えたことを特徴とする。
（Ａ01）メモリ収容孔（１０６ｃ）が後部に設けられ、前記メモリ収容孔（１０６ｃ）の前側に筆記部材（１１１）を収容する筆記部材収容孔が設けられた外筒（１０１＋１０６）、
（Ａ02）前記筆記部材収容孔に収容された前記筆記部材（１１１）であって筆記部材（１１１）の前端が前記筆記部材収容孔の前端から前方に突出する前記筆記部材（１１１）、
（Ａ03）外部メモリ接続機器に接続され且つ前記メモリ収容孔（１０６ｃ）に収容される接続端子部（１１３ａ）とデータを記憶するメモリ本体（１１３）と前記接続端子部（１１３ａ）とは反対側に設けられた尾栓（１１４）とを有する接続端子付メモリ（１１２）であって前記外部メモリ接続機器に接続された状態で前記メモリ本体（１１３）に記憶されたデータの読取りが可能な前記接続端子付メモリ（１１２）を挿入するために前記外筒（１０１＋１０６）の後端に形成されたメモリ挿入口（１０６ｆ）、
（Ａ04）前記メモリ挿入口（１０６ｆ）からメモリ収容孔（１０６ｃ）に挿入・離脱することにより前記外筒（１０１＋１０６）に着脱可能に装着される前記接続端子付メモリ（１１２）、
（Ａ05）前記接続端子付メモリ（１１２）が前記外筒（１０１＋１０６）に装着された状態で前記メモリ挿入口（１０６ｆ）を閉塞し且つ前記メモリ挿入口（１０６ｆ）よりも後方に突出する前記尾栓（１１４）であって、前記外筒（１０１＋１０６）に対する前記接続端子付メモリ（１１２）の着脱作業時に作業者により把持される被ツマミ部（１１４ａ）を有する前記尾栓（１１４）。
【００１０】
（第１発明の作用）
前記構成要件（Ａ01）〜（Ａ05）を備えた第１発明の筆記具では、前記筆記具の外筒（１０１＋１０６）の後部にはメモリ収容孔（１０６ｃ）が設けられ、前記メモリ収容孔（１０６ｃ）の前側に設けられた筆記部材収容孔は、筆記部材（１１１）を収容する。前記筆記部材収容孔に収容された前記筆記部材（１１１）の前端は、前記筆記部材収容孔の前端から前方に突出する。
筆記具の外筒（１０１＋１０６）に着脱可能な接続端子付メモリ（１１２）は、前記外筒（１０１＋１０６）の後部のメモリ収容孔（１０６ｃ）に収容される接続端子部（１１３ａ）とデータを記憶するメモリ本体（１１３）と前記接続端子部（１１３ａ）とは反対側に設けられた尾栓（１１４）とを有しており、外部メモリ接続機器に接続された状態で前記メモリ本体（１１３）に記憶されたデータの読取りが行われる。
【００１１】
前記外筒（１０１＋１０６）の後部に設けられたメモリ収容孔（１０６ｃ）には、前記外筒（１０１＋１０６）の後端に形成されたメモリ挿入口（１０６ｆ）から接続端子付メモリ（１１２）が挿入される。前記メモリ挿入口（１０６ｆ）からメモリ収容孔（１０６ｃ）に挿入された接続端子付メモリ（１１２）は、前記メモリ収容孔（１０６ｃ）内に挿入された状態で前記外筒（１０１＋１０６）に着脱可能に装着される。メモリ収容孔（１０６ｃ）内に装着された接続端子付メモリ（１１２）の接続端子部（１１３ａ）とデータを記憶するメモリ本体（１１３）とは、前記メモリ収容孔（１０６ｃ）に収容される。
【００１２】
前記接続端子付メモリ（１１２）の前記接続端子部（１１３ａ）とは反対側に設けられた尾栓（１１４）は、前記接続端子付メモリ（１１２）が前記外筒（１０１＋１０６）に装着された状態で前記メモリ挿入口（１０６ｆ）を閉塞し且つ前記メモリ挿入口（１０６ｆ）よりも後方に突出する。前記尾栓（１１４）は、前記外筒（１０１＋１０６）に対する前記接続端子付メモリ（１１２）の着脱作業時に作業者により把持される被ツマミ部（１１４ａ）を有する。したがって、前記尾栓（１１４）を把持して前記接続端子付メモリ（１１２）を外筒（１０１＋１０６）に対して容易に着脱することが可能である。前記尾栓（１１４）は筆記具の外筒（１０１＋１０６）の後端に固定され、前記尾栓（１１４）とは反対側に設けた接続端子部（１１３ａ）は、外筒（１０１＋１０６）の内部に配置される。
前記接続端子付メモリ（１１２）の尾栓（１１４）を外筒（１０１＋１０６）の後部に固定した状態では、前記メモリ収容孔（１０６ｃ）内に配置された接続端子部（１１３ａ）の位置も前記外筒（１０１＋１０６）に対して固定される。このため、接続端子付メモリ（１１２）が装着された筆記具を多少乱暴に扱っても、前記接続端子部（１１３ａ）が筆記具の他の部材と衝突して損傷することが無い。このため、前記接続端子の前端部を端子保護用の部材を用いて保護する必要が無い。
【００１３】
（第１発明の形態１）
第１発明の形態１の筆記具は前記第１発明において、次の構成要件（Ａ06）を備えたことを特徴とする。
（Ａ06）前記メモリ収容孔（１０６ｃ）内のメモリ装着位置に装着された接続端子付メモリ（１１２）が軸方向に容易に移動しないように係止する係止部（１０６ｅ）を有する前記メモリ収容孔（１０６ｃ）。
（第１発明の形態１の作用）
前記構成要件（Ａ06）を備えた第１発明の形態１の筆記具では、前記メモリ収容孔（１０６ｃ）の係止部（１０６ｅ）は、前記メモリ収容孔（１０６ｃ）内のメモリ装着位置に装着された接続端子付メモリ（１１２）が軸方向に容易に移動しないように係止する。
【００１４】
（第１発明の形態２）
第１発明の形態２の筆記具は前記第１発明において、次の構成要件（Ａ07），（Ａ08）を備えたことを特徴とする。
（Ａ07）前記メモリ収容孔（１０６ｃ）内のメモリ装着位置と前記メモリ収容孔（１０６ｃ）から外側に引き出された離脱位置との間で前記接続端子付メモリ（１１２）が軸方向に移動する際に前記接続端子付メモリ（１１２）を軸方向に移動可能且つ軸回りに回転不能にガイドするメモリガイド部（１０６ｄ）が形成された前記メモリ収容孔（１０６ｃ）、
（Ａ08）前記メモリガイド部（１０６ｄ）にガイドされる被ガイド部（１１３）が形成された前記接続端子付メモリ（１１２）。
【００１５】
（第１発明の形態２の作用）
前記構成要件（Ａ07），（Ａ08）を備えた第１発明の形態２の筆記具では、前記メモリ収容孔（１０６ｃ）に形成されたメモリガイド部（１０６ｄ）は、前記メモリ収容孔（１０６ｃ）内のメモリ装着位置と前記メモリ収容孔（１０６ｃ）から外側に引き出された離脱位置との間で前記接続端子付メモリ（１１２）が軸方向に移動する際に前記接続端子付メモリ（１１２）を軸方向に移動可能且つ軸回りに回転不能にガイドする。
前記接続端子付メモリ（１１２）に形成された被ガイド部（１１３）は、前記メモリガイド部（１０６ｄ）にガイドされる。
【００１６】
（第１発明の形態３）
第１発明の形態３の筆記具は第１発明の形態２において、次の構成要件（Ａ09）を備えたことを特徴とする。
（Ａ09）前記メモリ収容孔内のメモリ装着位置に前記接続端子付メモリが移動した状態で、前記接続端子付メモリが前記軸回りに所定角度回転可能に形成され且つ、前記接続端子付メモリが軸方向に移動しないように係止する係止部。
（第１発明の形態３の作用）
前記構成要件（Ａ09）を備えた第１発明の形態３の筆記具では、前記係止部は、前記メモリ収容孔内のメモリ装着位置に前記接続端子付メモリが移動した状態では、前記接続端子付メモリの前記軸回りの所定角度の回転を可能にし且つ、前記接続端子付メモリが軸方向に移動しないように係止する。
【００１７】
（第２発明）
第２発明の筆記具は、次の構成要件（Ａ01）〜（Ａ03），（Ａ010）〜（Ａ012）を備えたことを特徴とする。
（Ａ01）メモリ収容孔（２０）が後部に設けられ、前記メモリ収容孔（２０）の前側に筆記部材（６）を収容する筆記部材収容孔が設けられた外筒（２＋７）、
（Ａ02）前記筆記部材収容孔に収容された前記筆記部材（６）であって筆記部材の前端が前記筆記部材収容孔の前端から前方に突出する前記筆記部材（６）、
（Ａ03）外部メモリ接続機器に接続され且つ前記メモリ収容孔（２０）に収容される接続端子部（１１ａ）とデータを記憶するメモリ本体（１１）と前記接続端子部（１１ａ）とは反対側に設けられた尾栓（１２）とを有する接続端子付メモリ（１０）であって前記外部メモリ接続機器に接続された状態で前記メモリ本体（１１）に記憶されたデータの読取りが可能な前記接続端子付メモリ（１０）を挿入するために前記外筒（２＋７）の後端に形成されたメモリ挿入口（２１）、
（Ａ010）前記メモリ挿入口（２１）からメモリ収容孔（２０）に挿入可能且つ前記メモリ収容孔（２０）内に挿入された状態で前記外筒（２＋７）に着脱可能に装着されるメモリ装着筒（９）であって、前記接続端子付メモリ（１０）を挿入するためのメモリ装着孔（９２ａ）と前記メモリ装着孔（９２ａ）の後端に形成されたメモリ着脱口（９２ｂ）とを有する前記メモリ装着筒（９）、
（Ａ011）前記メモリ着脱口（９２ｂ）からメモリ装着孔（９２ａ）に挿入・離脱させることにより前記メモリ装着筒（９）に着脱可能に装着される前記接続端子付メモリ（１０）、
（Ａ012）前記接続端子付メモリ（１０）が前記メモリ装着筒（９）に装着された状態で前記メモリ着脱口（９２ｂ）を閉塞し且つ前記メモリ着脱口（９２ｂ）よりも後方に突出する前記尾栓（１２）であって、前記メモリ装着筒（９）に対する前記接続端子付メモリ（１０）の着脱作業時に作業者により把持される被ツマミ部（１２ａ）を有する前記尾栓（１２）。
【００１８】
（第２発明の作用）
前記構成要件（Ａ01）〜（Ａ03），（Ａ010）〜（Ａ012）を備えた第２発明の筆記具では、前記筆記具の外筒（２＋７）の後部にはメモリ収容孔（２０）が設けられ、前記メモリ収容孔（２０）の前側に設けられた筆記部材収容孔は、筆記部材（６）を収容する。前記筆記部材収容孔に収容された前記筆記部材（６）の前端は、前記筆記部材収容孔の前端から前方に突出する。
筆記具の外筒（２＋７）に着脱可能な接続端子付メモリ（１０）は、前記外筒（２＋７）の後部のメモリ収容孔（２０）にメモリ装着筒（９）を介して収容され、接続端子部（１１ａ）とデータを記憶するメモリ本体（１１）と前記接続端子部（１１ａ）の反対側に設けられた尾栓（１２）とを有しており、外部メモリ接続機器に接続された状態で前記メモリ本体（１１）に記憶されたデータの読取りが行われる。
【００１９】
前記外筒（２＋７）の後部に設けられたメモリ収容孔（２０）には、前記外筒（２＋７）の後端に形成されたメモリ挿入口（２１）からメモリ装着筒（９）が挿入される。前記メモリ挿入口（２１）からメモリ収容孔（２０）に挿入されたメモリ装着筒（９）は、前記メモリ収容孔（２０）内に挿入された状態で前記外筒（２＋７）に着脱可能に装着される。
前記メモリ着脱口（９２ｂ）からメモリ装着孔（９２ａ）に挿入される接続端子付メモリ（１０）は、前記メモリ装着孔（９２ａ）内に挿入された状態で前記メモリ装着筒（９）に着脱可能に装着される。したがって、前記メモリ装着筒（９）に装着された接続端子付メモリ（１０）の接続端子部（１１ａ）とデータを記憶するメモリ本体（１１）とは、前記メモリ装着筒（９）と共に前記外筒（２＋７）のメモリ収容孔（２０）に収容される。
【００２０】
前記接続端子付メモリ（１０）の前記接続端子部（１１ａ）とは反対側に設けられた尾栓（１２）は、前記接続端子付メモリ（１０）が前記メモリ装着筒（９）に装着された状態で前記メモリ着脱口（９２ｂ）を閉塞し且つ前記メモリ着脱口（９２ｂ）よりも後方に突出する。前記尾栓（１２）は、前記外筒（２＋７）のメモリ収容孔（２０）に装着されたメモリ装着筒（９）に対する前記接続端子付メモリ（１０）の着脱作業時に作業者により把持される被ツマミ部（１２ａ）を有する。したがって、前記尾栓（１２）を把持して前記接続端子付メモリ（１０）を、外筒（２＋７）に装着されたメモリ装着筒（９）対して容易に着脱することが可能である。前記尾栓（１２）は筆記具の外筒（２＋７）に装着されたメモリ装着筒（９）の後端に固定され、前記尾栓（１２）とは反対側に設けた接続端子部（１１ａ）は、外筒（２＋７）に装着されたメモリ装着筒（９）の内部に配置される。
前記接続端子付メモリ（１０）の尾栓（１２）をメモリ装着筒（９）の後端に固定した状態では、前記メモリ装着孔（９２ａ）内に配置された接続端子部（１１ａ）の位置も前記メモリ装着筒（９）に対して固定される。このため、接続端子付メモリ（１０）が装着された筆記具を多少乱暴に扱っても、前記接続端子が筆記具の他の部材と衝突して損傷することが無い。このため、前記接続端子の前端部を端子保護用の部材を用いて保護する必要が無い。
【００２１】
（第２発明の形態１）
第２発明の形態１の筆記具は前記第２発明において次の構成要件（Ａ013）を備えたことを特徴とする。
（Ａ013）前記メモリ装着孔（９２ａ）内のメモリ装着位置に装着された接続端子付メモリ（１０）が軸方向に容易に移動しないように係止する係止部（９２ｄ）を有する前記メモリ装着筒（９）。
（第２発明の形態１の作用）
前記構成要件（Ａ013）を備えた第２発明の形態１の筆記具では、前記メモリ装着筒（９）の係止部（９２ｄ）は、前記メモリ装着孔（９２ａ）内のメモリ装着位置に装着された接続端子付メモリ（１０）が軸方向に移動しないように係止する。
【００２２】
（第２発明の形態２）
第２発明の形態２の筆記具は前記第２発明において、次の構成要件（Ａ014），（Ａ015）を備えたことを特徴とする。
（Ａ014）前記メモリ装着孔（９２ａ）内のメモリ装着位置と前記メモリ装着孔（９２ａ）から外側に引き出された離脱位置との間で前記接続端子付メモリ（１０）が軸方向に移動する際に前記接続端子付メモリ（１０）を軸方向に移動可能且つ軸回りに回転不能にガイドするメモリガイド部（９２ｃ）が形成された前記メモリ装着筒（９）、
（Ａ015）前記メモリガイド部（９２ｃ）にガイドされる被ガイド部（１１）を有する前記接続端子付メモリ（１０）。
（第２発明の形態２の作用）
前記構成要件（Ａ014），（Ａ015）を備えた第２発明の形態２の筆記具では、前記メモリ装着筒（９）に形成されたメモリガイド部（９２ｃ）は、前記メモリ装着孔（９２ａ）内のメモリ装着位置と前記メモリ装着孔（９２ａ）から外側に引き出された離脱位置との間で前記接続端子付メモリ（１０）が軸方向に移動する際に前記接続端子付メモリ（１０）を軸方向に移動可能且つ軸回りに回転不能にガイドする。
前記接続端子付メモリ（１０）の被ガイド部（１１）は、前記メモリガイド部（９２ｃ）にガイドされる。
【００２３】
（第２発明の形態３）
第２発明の形態３の筆記具は、前記第２発明の形態２において次の構成要件（Ａ016）を備えたことを特徴とする。
（Ａ016）前記メモリ装着孔（９２ａ）内のメモリ装着位置に前記接続端子付メモリ（１０）が移動した状態で、前記接続端子付メモリ（１０）が前記軸回りに所定角度回転可能に形成され且つ、前記接続端子付メモリ（１０）が軸方向に移動しないように係止する係止部（９２ｄ）。
（第２発明の形態３の作用）
前記構成要件（Ａ016）を備えた第２発明の形態３の筆記具では、前記係止部（９２ｄ）は、前記メモリ装着孔（９２ａ）内のメモリ装着位置に前記接続端子付メモリ（１０）が移動した状態では、前記接続端子付メモリ（１０）の前記軸回りの所定角度の回転を可能にする。また、前記係止部（９２ｄ）は、メモリ装着位置に装着された前記接続端子付メモリ（１０）が軸方向に移動しないように係止する。
【００２４】
（第１発明または第２発明の形態４）
第１発明または第２発明の形態４の筆記具は、前記第１発明もしくは第２発明、または前記第１発明もしくは第２発明の形態１〜３のいずれかにおいて、次の構成要件（Ａ017），（Ａ018）を備えたこととを特徴とする。
（Ａ017）前記外部接続機器に接続された状態で点灯し、前記メモリ本体（１１，１１３）に記憶されたデータが読み取られる際に点滅する点灯部材を有する前記接続端子付メモリ（１０，１１２）、
（Ａ018）前記点灯部材から出射する光が透過する光透過材料により構成された前記尾栓（１２，１１４）。
（第１発明または第２発明の形態４の作用）
前記構成要件（Ａ017），（Ａ018）を備えた第１発明または第２発明の形態４の筆記具では、前記接続端子付メモリ（１０，１１２）の点灯部材は、前記接続端子付メモリ（１０，１１２）が外部接続機器に接続された状態で点灯し、前記メモリ本体（１１，１１３）に記憶されたデータが読取られる際に点滅する。光透過材料により構成された前記尾栓（１２，１１４）は、前記点灯部材から出射する光が透過する。このため、前記外部接続機器に接続された接続端子付メモリ（１０，１１２）が、データの書換中か否かを容易に確認することが可能である。
【発明の効果】
【００２５】
前述の本発明の筆記具は、下記の効果（Ｅ01）〜（Ｅ03）を奏する。
（Ｅ01）接続端子付メモリと筆記具とを同時に使用可能な筆記具を提供することができる。
（Ｅ02）接続端子付メモリを筆記具の外筒後部に容易に着脱可能な筆記具を提供することができる。
（Ｅ03）接続端子付メモリを外筒後部に容易に着脱可能な筆記具において、筆記具の部品の紛失を生じ難くすることができる。
【発明を実施するための最良の形態】
【００２６】
次に図面を参照しながら、本発明の筆記具の実施例を説明するが、本発明は以下の実施例に限定されるものではない。
【実施例１】
【００２７】
図１は本発明の筆記具の実施例１の全体説明図で、図１Ａは全部品の組立状態の側断面図、図１Ｂは同平断面図である。
図２は前記図１の筆記具の分解図である。
図１〜図２において、筆記具１は、後部外筒２と、前記後部外筒２の内側前部に３６０度未満の所定角度範囲で回転可能に収容されたスライダ支持ケース３と、前記スライダ支持ケース３の後部にスライド可能に支持されたスライダ４と、前記スライダの前端と前記スライダ支持ケースとの間に配置されたリターンバネ５と、前記スライダに着脱可能に装着された筆記用芯部材（筆記部材）６と、前記スライダ支持ケース３の前端部に着脱可能に装着された前部外筒７と、前部外筒７表面に装着されたグリップ用ラバー８と、前記後部外筒２の内側後部に着脱可能に装着される筒状カートリッジ（メモリ装着筒）９と、前記筒状カートリッジ（メモリ装着筒）９にその後端から着脱可能に装着されるＵＳＢメモリ（接続端子付メモリ）１０とを有している。前記ＵＳＢメモリ１０は、パソコン等の外部メモリ接続機器に接続され、前記外部メモリ接続機器に接続された状態でＵＳＢメモリ１０のメモリ本体１１に記憶されたデータの書換え（読み取り・書き込み）が可能なメモリである。
前記後部外筒２と前部外筒７とにより筆記具１の外筒（２＋７）が構成されている。前記筒状カートリッジ９の後部とＵＳＢメモリ（接続端子付メモリ）１０とは、ネジ式、弾性嵌合式等の方法により連結することができる。
【００２８】
図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。なお、図４において、クリップの図示は省略している。
図３Ｃにおいて後部外筒２は円筒状部材であり、その後部内側にはカートリッジ収容部（メモリ収容孔）２０が形成されており、後端にはカートリッジ着脱口（メモリ挿入口）２１が形成されている。また、後部外筒２の前端には複数の筆記用芯部材６が貫通する前端貫通孔２２が形成されている。
前記後部外筒２の軸方向内面には内側に突出するリング状係止部２３が形成されている。リング状係止部２３はスライダ支持ケース３を回転可能且つ軸方向に容易に移動しないように係止するための部材である。
【００２９】
前記リング状係止部２３のやや後部側（図３Ｃで右側）には内側に突出する円弧状のカートリッジ係止部２４が形成されている。また図３Ｃの内側上面には軸方向に延びるカートリッジガイド部２５が形成されている。カートリッジガイド部２５は筒状カートリッジ（メモリ装着筒）９を後部外筒２内部に挿入する際に筒状カートリッジ９の被ガイド部（後述）と係合するため部材であり、前記カートリッジ係止部２４は筒状カートリッジ９が挿入された時に軸方向の位置を定める部材である。なお、前記カートリッジガイド部２５は、カートリッジ収容部２０の上面に設ける代わりに、下面、側面等に形成することが可能である。なお、筒状カートリッジ９については後述する。
前記リング状係止部２３のやや前側にはスライダ移動用ガイド２６が形成されている。スライダ移動用ガイド２６は図４Ｃ、図４Ｆに示されている。スライダ移動用ガイド２６は、その前端部に形成されたスライダ係止凹部２６ａ（図３Ｃ、図４Ｆ参照）と、前記スライダ係止凹部２６ａの両端部から後方に延びる一対の傾斜面２６ｂ，２６ｂと、前記傾斜面の後端から円周方向に延びるスライダ後  端位置規制部２６ｃ，２６ｃとを有している。
前記後部外筒２の内側前端部には回転範囲規制用突出部２７（図３Ｃ、図４Ｅ参照）と内径の大きな回転位置規制部材収容部２８とが形成されている。
【００３０】
図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
図６は前記図５に示すスライダ支持ケースの説明図で、図６Ａは前記図５ＣのＶIＡ−ＶIＡ線端面図、図６Ｂは前記図５ＣのＶIＢ−ＶIＢ線端面図、図６Ｃは前記図５ＣのＶIＣ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【００３１】
図５において、スライダ支持ケース３は、前部（図５で左側部分）は円筒状に形成されており、その外周面にはオスネジ３１が形成されている。前記オスネジ３１の後側には大径のフランジ３２が形成されている。前記フランジの後側（図５で右側）の外側面には下側には突出する回転位置規制部材３３が設けられている。前記フランジ３２の部分とその後側（図５で右側）のフランジ隣接部分の内側には端壁（ガイド溝前端壁）３４が形成されており、前記ガイド溝前端壁３４にはコーナ部（角部）を丸めたおむすび形状の芯部材貫通孔３４ａ（図６Ｆ参照）が形成されている。
前記芯部材貫通孔３４ａの後側には前記芯部材貫通孔３４ａに接続し且つ前後に延びる３個のスライダガイド溝３５が形成されている。前記３個のスライダガイド溝３５は前記芯部材貫通孔３４ａに近い部分では仕切部材３６（図６Ｃ，図６Ｄ，図６Ｅ参照）により完全に分離されている。前記仕切部材３６は、円柱に軸方向に延びる３個のスライダガイド溝３５を設けた形状の部材である。したがって、仕切部材３６の外側面の形状は部分円筒面である。
【００３２】
前記仕切部材３６は、前記芯部材貫通孔３４ａから離れた後側部分（図５で右側部分）では仕切部材３６の中心部分が除去されて、図６Ａ、図６Ｂに示すように３個の仕切部材３７に分割されている。したがって、前記３個のスライダガイド溝３５は、前記芯部材貫通孔３４ａから遠い後側部分（図５で右側部分）では部分的に連通状態で、前記３個の仕切部材３７の間に形成されている。図６Ａ、図６Ｂから分かるように、前記３個の仕切部材３７の外側面の形状も部分円筒面である。
前記３個の仕切部材３７の外側面には円周方向に被係止溝３７ａが形成されており、被係止溝３７ａの後側には、後側に行くに従って外径が縮小する傾斜面３７ｂが形成されている。前記スライダ支持ケース３を前記後部外筒２の前端貫通口２２から挿入した際、前記傾斜面３７ｂは後部外筒２のリング状係止部２３により外径が縮小した状態で、前記リング状係止部２３を後方に通過する。前記傾斜面３７ｂがリング状係止部２３を後方に通過した時、前記被係止溝３７ａの外径が拡大して、前記リング状係止部２３に係止される。係止された状態では、被係止溝３７ａは前記リング状係止部２３に回転可能且つ前後方向の移動不能に連結される。
前記スライダ支持ケース３の回転位置規制部材３３は前記後部外筒２の回転位置規制部材収容部２８（図３Ｃ、図４Ｅ参照）に回転可能に収容され、回転範囲規制用突出部２７と係合する位置で回転が規制される。
スライダ支持ケース３の前端部の外周面には円周方向に離れた３か所の位置に、前記３個のスライダガイド溝３５の位置に対応して、ブルー（青）のボールペンを挿入する位置を示す「Ｌ」（図５Ａ参照）、レッド（赤）のボールペンを挿入する位置を示す「Ｒ」（図５Ｂ参照）、および、ブラック（黒）のボールペンを挿入する位置を示す「Ｂ」（図示せず）の小さい文字が形成されている。
【００３３】
図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
図８は前記図７の平面図で、図８Ａは各部品を組み立てた状態の平面図、図８Ｂは前記図８Ａの分解図である。
なお、本実施例１では筆記用芯部材６は３本使用しているが、図７、図８において筆記用芯部材６を３本図示すると、図面の記載が複雑になるので、筆記用芯部材６は２本のみ図示している。
【００３４】
図７、図８において、スライダ支持ケース３のスライダ支持ケース３の後部の３個の各スライダガイド溝３５にはそれぞれスライダ４が前後に移動可能に支持されている。前記スライダ４の前端部と前記スライダガイド溝３５の前端部との間にはリターンバネ５が配置されており、スライダ４は常時後方（図７、図８で右方）に移動する力を受けている。前記スライダ支持ケース３の前記芯部材貫通孔３４ａを前方から後方に貫通した筆記用芯部材６の後端部は前記スライダ４の芯部材装着孔（４１）（後述）に着脱可能に装着される。
【００３５】
図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【００３６】
図１０、図１１において、スライダ４は円筒状部材であり、筆記用芯部材６の後端部が着脱可能に装着される芯部材装着孔４１（図１０Ｃ、図１１Ｂ等参照）を有している。芯部材装着孔４１の内部には、芯部材装着孔４１内部には筆記用芯部材６が挿入された時に筆記用芯部材６を摩擦力により保持するための上下一対の突出部４１ａ，４１ａが設けてある。
芯部材装着孔４１の前端は開口しておりその開口部端面にはバネ受け座４２が形成されている。バネ受け座４２はリターンバネ５（図９参照）の後端部を支持する部分である。芯部材装着孔４１の後端には後端壁４３が設けられている。後端壁４３の内面は前記筆記用芯部材６の後端が当接する面である。
スライダ４の前側部分（図１０で左側部分）上部には後向きの一対の傾斜面４４，４４が設けられている。この傾斜面４４，４４は、前記図４Ｆに示す後部外筒２のスライダ移動用ガイド２６の傾斜面２６ｂ，２６ｂと係合する面である。このスライダ４の傾斜面４４が前記スライダ移動用ガイド２６の傾斜面２６ｂと係合した状態で、前記スライダ支持ケース３および後部外筒２が相対的に回転すると、傾斜面２６ｂによりスライダ４の傾斜面が円周方向に押されて、スライダ４は前記傾斜面２６ｂに沿ってスライド移動する。このとき、スライダ４は前後方向に移動する。
【００３７】
前記スライダ４の傾斜面４４，４４の先端部は、スライダ４が前側に移動したときに、前記後部外筒２のスライダ係止凹部２６ａに嵌合する部分である。
前記後部外筒２に形成したスライダ移動用ガイド２６の傾斜面２６ｂとスライダ４に設けた傾斜面４４とを係合させた状態で後部外筒２およびスライダ支持ケース３を相対的に回転させることにより、複数のスライダを順次前方に移動させると同時に前方に移動していたスライダ４を後方に移動させる構成は従来周知である。
【００３８】
図１２は前部外筒およびその表面に装着されるグリップ用ラバーの説明図で、図１２Ａは上面図、図１２Ｂは側面図で前部外筒図１２Ａの矢印ＸIIＢ−ＸIIＢから見た図、図１２Ｃは側断面図で前記図１２ＡのＸIIＣ−ＸIIＣ線断面図である。
図１３は前部外筒の説明図で、図１３Ａは前記図１２Ｃの矢印ＸIIIＡ−ＸIIIＡから見た図、図１３Ｂは前記図１２Ｃの矢印ＸIIIＢから見た図、図１３Ｃは前記図１２Ｃの矢印ＸIIIＣで示す部分の詳細図である。
図１２、図１３において、前部外筒７は円錐状部材であり、その前端に筆記用芯部材６が出没可能な前端開口７１が形成され、後端に後端貫通口７２が形成されている。前部外筒７の前端部内側には前後に延びる複数のＶ型溝７３が形成されている。Ｖ型溝７３は筆記用芯部材６としてボールペンを使用したとき、前部外筒７の前端部内側に付着したボールペン先端のインクが円周方向に広がるのを防止するための溝である。前部外筒７の後端部内側にメスネジ７４が形成されている。メスネジ７４は前記スライダ支持ケース３の前端部外周面に形成されたオスネジ３１と螺合するネジである。
【００３９】
前部外筒７の後端部内面には前部外筒７の肉厚を調整するための複数の肉厚調整溝７５が形成されている。前部外筒７の成形時に肉厚が急激に変化する部分が有ると、その部分に応力の発生や歪みが生じ易いので、前記応力の発生や歪みの発生を防止するために前記肉厚調整溝７５が設けられている。
前記前部外筒７の外側面には弾性の有るグリップ用ラバー８が装着されている。グリップ用ラバー８は筆記具１の使用者の使用感覚を良くするための部材である。
【００４０】
図１４は筒状カートリッジと筒状カートリッジ後端に着脱可能なＵＳＢメモリとを説明する図で、図１４Ａは筒状カートリッジと前記筒状カートリッジに着脱可能に装着されたＵＳＢメモリの側断面図、図１４Ｂは前記図１４ＡのＸIＶＢ−ＸIＶＢ線断面図、図１４Ｃは前記図１４ＡのＸIＶＣ−ＸIＶＣ線断面図、図１４Ｄは前記図１４ＡのＸIＶＤ−ＸIＶＤ線端面図、図１４Ｅは前記図１４ＡのＸIＶＥ−ＸIＶＥ線端面図である。
図１５は前記図１４に示す筒状カートリッジと前記筒状カートリッジに着脱可能に装着されたＵＳＢメモリの斜視図である。
図１６は前記筒状カートリッジと筒状カートリッジ後端に着脱可能なＵＳＢメモリの分解説明図で、図１６Ａは分解斜視図、図１６Ｂは前記図１６ＡのＸＶI−ＸＶI線断面図である。
【００４１】
図２および図１４〜図１６において、本実施例１で使用している筒状カートリッジ（メモリ装着筒）９は、前端円筒部９１とその後側の筒状のメモリ装着部９２とを有している。
前記前端円筒部９１には、３本のスリット９１ａが形成されており、前記スリット９１ａにより適当な弾性を有している。前記円筒部９１の外周面にはリング状の凹部（被係止部）９１ｂが形成されている。なお、スリット９１ａは省略することも可能である。
前記筒状のメモリ装着部９２の内側にはメモリ装着孔９２ａが形成されており、その後端にはメモリ着脱口９２ｂが形成されている。また、メモリ装着部９２には軸方向に延びる一対のスリット状開口（メモリガイド部）９２ｃ，９２ｃが形成されている。前記スリット状開口９２ｃ，９２ｃには半径方向に延びて形成された凹部により係止部９２ｄ，９２ｄが形成されている。またメモリ装着部９２の後端部には前記後部外筒２の後端のカートリッジ着脱口２１に嵌合する嵌合部９２ｅが形成されている。
【００４２】
また、前記筒状のメモリ装着部９２および前端円筒部９１の外側面には前後に延びる被ガイド部９３，９３（図２、図１５参照）が形成されている。前記被ガイド部９３，９３は、筒状カートリッジ９を前記後部外筒２のカートリッジ着脱口２１から挿入した際に後部外筒２の内面に形成されたカートリッジガイド部２５（図３Ｃ、図４Ａ参照）に係合してガイドされる部分である。前記被ガイド部９３，９３がカートリッジガイド部２５に係合することにより、後部外筒２に対する筒状カートリッジ９の軸回りの回転位置の位置決めが行われる。
前記筒状カートリッジ９が前記後部外筒２内部に挿入された状態では、前記後部外筒２のカートリッジ係止部２４（図３Ｃ参照）が前記リング状の凹部（被係止部）９１ｂと係合することにより、筒状カートリッジ９の軸方向（前後方向）の位置決めが行われる。
【００４３】
前記図１Ａ、図１Ｂから分かるように、筒状カートリッジ９の前端円筒部９１の内部に、前記複数のスライダ４の後端部およびスライダ支持ケース３の仕切部材３７の後端部（すなわち、スライダ支持ケース３の後端部）が挿入されている。このため、筆記具の長さが長くなり過ぎないようにすることができる。
【００４４】
図２、図１６においてＵＳＢメモリ１０は、メモリ本体１１と樹脂製の尾栓１２とを有している。メモリ本体１１の前端部にはＵＳＢ端子（接続端子部）１１ａが設けられている。尾栓１２の後部は作業者により把持される被ツマミ部１２ａと、前記被ツマミ部１２ａの前端から突出する一対の突出部１２ｂ，１２ｂとを有している。前記メモリ本体１１の後端を前記一対の突出部１２ｂ，１２ｂの間に押し込むと、前記メモリ本体１１の後端部は前記被ツマミ部１２ａの前端部に形成されたメモリ嵌合孔１２ｃ（図２参照）に圧入され、固定される。前記突出部１２ｂ，１２ｂの前端には被係止凸部１２ｄ，１２ｄが設けられている。
図１６、図１４から分かるように、前記ＵＳＢメモリ１０を筒状カートリッジ９内に挿入する際、前記スリット状開口９２ｃ，９２ｃは、ＵＳＢメモリ１０のメモリ本体１１の一対の側端部をガイドする。また、図１５において、前記ＵＳＢメモリ１０を筒状カートリッジ９内の奥まで挿入したとき、前記嵌合部９２ｅと被係止凸部１２ｄとが軸方向の同じ位置に配置される。その状態で、前記ＵＳＢメモリ１０を回転させるとＵＳＢメモリ１０の前記被係止凸部１２ｄは、筒状カートリッジ９の前記嵌合部９２ｅ内に移動し、その状態では、ＵＳＢメモリ１０は筒状カートリッジ９内で軸方向に移動不能に装着される。
【００４５】
（実施例１の作用）
前記構成を備えた本発明の実施例１の筆記具１は、図７Ａまたは図８Ａのように、スライダ支持ケース３にスライダ４、リターンバネ５および筆記用芯部材６を組付けた状態で、前記スライダ支持ケース３を後部外筒２の前端貫通口２２から後部外筒２内部に挿入する。そのとき、図１Ａ、図１Ｂに示すように、スライダ支持ケース３の３個の仕切部材３７の外側面に形成された被係止溝３７ａが、後部外筒２内側面に形成されたリング状係止部２３に係合する。この状態では、スライダ支持ケース３は後部外筒２内部で回転可能であるが、軸方向（前後方向）の移動は不可能である。
その状態では図１Ａ、図１Ｂに示すように、スライダ支持ケース３の前端部の円筒外側面に形成されたオスネジ３１（図５参照）は、後部外筒２の前端貫通口２２から前方に突出している。
前記スライダ支持ケース３の前端部外側面に形成されたオスネジ３１に、前部外筒７の後端部内周面に形成されたメスネジ７４を螺合させることにより、スライダ支持ケース３に前部外筒７を着脱可能に連結することができる。前記連結した状態（オスネジ３１およびメスネジ７４を締めつけた状態）では、スライダ支持ケース３および前部外筒７は相対移動不可能である。なお、オスネジ３１およびメスネジ７４を緩めた状態ではスライダ支持ケース３および前部外筒７は相対回転可能となる。
【００４６】
前記オスネジ３１およびメスネジ７４を締めつけてスライダ支持ケース３および前部外筒７を連結した状態では、スライダ支持ケース３の回転位置規制部材３３（図５Ｂ、図５Ｃ、図６Ｃ〜図６Ｅ参照）が、後部外筒２の回転位置規制部材収容部２８（図３Ｃ、図４Ｅ参照）内で回転可能である。すなわち、回転位置規制部材３３が回転範囲規制用突出部２７に係合するまで、スライダ支持ケース３は後部外筒２内部で回転可能である。
したがって、前記スライダ支持ケース３および前部外筒７を連結した状態で、スライダ支持ケース３および前部外筒７は、後部外筒２に対して所定の角度範囲（３６０°未満の範囲）内で回転可能である。したがって、後部外筒２に対して、スライダ支持ケース３および前部外筒７を回転させると、スライダ支持ケース３に支持されたスライダ４の傾斜面４４（図１０Ａ、図１１Ｄ参照）は、後部外筒２内面に形成したスライダ移動用ガイド２６の傾斜面２６ｂ（図３Ｃ参照）と係合し、傾斜面２６ｂに押されて、前後方向にスライド移動する。このとき、複数の筆記用芯部材６の前端部を前部外筒７の前端開口７１から順次出没させることができる。
【００４７】
前記筆記用芯部材６の交換を行う際には、前記オスネジ３１およびメスネジ７４を緩めて、後部外筒２に支持されたスライダ支持ケース３から前部外筒７を離脱させる。その状態でスライダ支持ケース３の前端（図１参照）から突出している筆記用芯部材６を前方に引っ張ることにより、筆記用芯部材６をスライダ４から引き抜くことができる。
新しい筆記用芯部材６を前部外筒７スライダ４に装着するには、スライダ支持ケース３の前端から筆記用芯部材６を挿入する。前記スライダ支持ケースの芯部材貫通孔３４ａは、前記複数の筆記用芯部材６の全てが貫通する１個の貫通孔により形成されているので、複数の筆記用芯部材６が貫通する大きさを有している。したがって、前記１個の貫通孔により形成された芯部材貫通孔３４ａは、複数の筆記用芯部材６がそれぞれ貫通する複数の芯部材貫通孔を形成した場合に比較して、芯部材貫通孔３４ａの形状が大きいので、前記芯部材貫通孔３４の内側に筆記用芯部材６の後端を容易に挿入することができる。前記芯部材貫通孔３４ａの内側に挿入された筆記用芯部材６の後端は芯部材貫通孔３４ａの内周面により前記スライダガイド溝３５にガイドされる。
【００４８】
このため、筆記用芯部材６をスライダガイド溝３５に、容易に挿入することができるので、筆記用芯部材６を前記スライダ４の芯部材装着孔４１に容易に装着することができる。前記スライダ４の芯部材装着孔４１に後端部が装着された前記筆記用芯部材６は、後部外筒２の前端貫通口２２内側に配置されたスライダ支持ケース３を前後に移動可能に貫通する。後部外筒２の前端貫通口２２を前後に移動可能に貫通する前記筆記用芯部材６は、前記後部外筒２の前端貫通口２２が前部外筒７の後端貫通口７２（図１２Ｃ参照）に接続した状態では、前部外筒７の後端貫通口７２を前後に移動可能に貫通する。その状態では、複数の筆記用芯部材６の前側部分は前部外筒７内部に収容されており、その状態で前方に移動した筆記用芯部材６は前部外筒の前端開口７１から前方に突出して筆記可能な状態となる。
【００４９】
前記円筒状の後部外筒２の後部内側にはカートリッジ収容部２０が形成されており、カートリッジ収容部２０には、内側に突出する円弧状のカートリッジ係止部２４と、軸方向に延びるカートリッジガイド部２５が形成されている。したがって、カートリッジ着脱口２１から筒状カートリッジ９を挿入したとき、カートリッジガイド部２５は、筒状カートリッジ９の被ガイド部９１ｄ（図１４参照）と係合して、筒状カートリッジ９を軸方向（前後方向）にガイドするので、カートリッジ収容部２０内での筒状カートリッジ９の回転位置を所定の回転位置に保持することができる。また、前記カートリッジ係止部２４は、筒状カートリッジ９が挿入された時に凹部（被係止部）９１ｃと係合して、筒状カートリッジ９の軸方向の位置決めを行う。
また、前記複数のスライダ４の後端部およびスライダ支持ケース３の仕切部材３７の後端部（すなわち、スライダ支持ケース３の後端部）は、前記筒状カートリッジ９の前端円筒部９１の内部に挿入されているので、筆記具１の長さを短くすることができる。
【００５０】
図１７は前記実施例１の筆記具１の後部外筒２のカートリッジ収容部（メモリ収容孔）２０内部に筒状カートリッジ９が装着された状態で、前記筒状カートリッジ９内部にＵＳＢメモリ１０を挿入した状態と、挿入した前記ＵＳＢメモリ１０を回転させて抜け出し不能な装着位置に回転移動させた状態の説明図で、図１７Ａは筆記具の縦断面図、図１７Ｂ〜図１７Ｄ，図１７Ｅ１〜図１７Ｈ１は前記筒状カートリッジ９内部にＵＳＢメモリ１０を挿入した状態での各部分の横断面図、図１７Ｅ２〜図１７Ｈ２は前記筒状カートリッジ９内部にＵＳＢメモリ１０を挿入した前記図１７Ｅ１〜図１７Ｈ１状態でＵＳＢメモリ１０を回転させて筒状カートリッジ９に抜け出し不能に装着した状態を示す図である。
図１７Ｆ１において、ＵＳＢメモリ１０の尾栓１２の被係止凸部１２ｄは筒状カートリッジ（メモリ装着筒）９の凹部により形成された係止部９２ｄに対向する位置に配置されている。図１７Ｈ１，図１７Ｇ１では被係止凸部１２ｄは見えているが、係止部９２ｄは見えていない。前記図１７Ｆ１〜図１７Ｇ１の状態でＵＳＢメモリ１０を回転させると、前記ＵＳＢメモリ１０の被係止凸部１２ｄ（図１５参照）は前記筒状カートリッジ９の係止部９２ｄ（図１５参照）内に移動する。このとき、ＵＳＢメモリ１０は筒状カートリッジ（メモリ装着筒）９内の装着位置に移動して装着される。
【実施例２】
【００５１】
図１８は本発明の筆記具の実施例２の全体説明図で、図１８Ａは全部品の組立状態の平断面図、図１８Ｂは前記図１８Ａの矢印ＸＶIIIＢ−ＸＶIIIＢ線から見た図、図１８Ｃは同実施例２の一部断面側面図、図１８Ｄは前記図１８Ｃの矢印ＸＶIIIＤ−ＸＶIIIＤ線から見た図、図１８Ｅは前記図１８Ａの要部の部品分解図、図１８Ｆは前記図１８ＥのＸＶIIIＦ−ＸＶIIIＦ線断面の組立図で前記図１８Ａの要部と同一の図である。
図１９は本発明の筆記具の実施例２の要部分解説明図で、図１９ＡはＵＳＢメモリを離脱させた筆記具の平断面図、図１９Ｂは前記図１９Ａの矢印ＸIＸＢ−ＸIＸＢ線から見た図、図１９Ｃは筆記具から離脱した状態のＵＳＢメモリの平面図、図１９Ｄは前記図ＸIＸＣの矢印ＸIＸＤから見た図、図１９ＥはＵＳＢメモリを離脱させた筆記具の一部平断側面図、図１９Ｆは前記図１９Ｅの矢印ＸIＸＦ−ＸIＸＦ線から見た図、図１９Ｇは筆記具から離脱した状態のＵＳＢメモリの側面図、図１９Ｈは前記図ＸIＸＧの矢印ＸIＸＨから見た図である。
図１８，図１９において、実施例２の筆記具１００は、前部外筒１０１を有している。前部外筒１０１の前端部には円錐部材１０２がネジ連結されている。前部外筒１０１の後端部には中空内筒１０３がネジ連結されている。中空内筒１０３の後端部にはカム筒収容部１０３ａが設けられている。前記前部外筒１０１の外周にはグリップ用ラバー１０４が装着されている。
【００５２】
前記中空内筒１０３の外側面には後部外筒１０６が回転可能に装着されている。前記前部外筒１０１と後部外筒１０６とにより実施例２の筆記具１００の外筒（１０１＋１０６）が構成されている。
前記後部外筒１０６には軸方向の中間部に仕切壁１０６ａが形成されており、仕切壁１０６ａにはネジ孔１０６ｂが形成されている。前記後部外筒１０６の前記仕切壁１０６ａよりも後側の内側にはメモリ収容孔１０６ｃが形成されている。前記メモリ収容孔１０６ｃの内側面には軸方向に延びる一対のメモリガイド溝（メモリガイド部）１０６ｄ，１０６ｄと、軸に垂直な線状突起部により形成されるメモリ係止部１０６ｅ，１０６ｅとが形成されている。メモリ係止部１０６ｅ，１０６ｅは、後述するＵＳＢメモリ１１２が容易に移動しないように係止する部材である。前記メモリ収容孔１０６ｃの後端（後部外筒１０６の後端）にはメモリ挿入口１０６ｆ（図１９参照）が形成されている。
【００５３】
前記ネジ孔１０６ｂには連結ブロック１０７の後端部１０７ａ外周に形成されたオスネジが螺合することにより、前記後部外筒１０６と連結ブロック１０７とが連結されている。そして、前記後部外筒１０６と連結ブロック１０７とは一体的に回転可能である。
前記中空内筒１０３後部のカム筒収容部１０３ａの内側にはカム筒１０８が回転可能に収容されている。カム筒１０８は後方に延びる連結軸１０８ａを有しており、前記連結軸１０８ａは前記連結ブロック１０７に相対回転不能に連結されている。したがって、後部外筒１０６が回転すると、連結ブロック１０７およびカム筒１０８が後部外筒１０６と一体的に回転する。
【００５４】
前記カム筒１０８の側壁には螺旋状カム面１０８ｂが形成されている。前記カム筒１０８の内周面には円筒状外周面を有する可動部材１０９が軸方向に移動可能に挿入されており、可動部材１０９の外周面には半径方向外側に突出し且つ軸方向に延びる板状突出部１０９ａが形成されている。前記板状突出部１０９ａの後端は前記螺旋状カム面１０８ａに当接している。また、図１８Ｅ、図１８Ｆに示すように、前記板状突出部１０９ａは前記カム筒１０８の側壁の外側に突出しており、前記中空内筒１０３に形成された軸方向に延びるスリット１０３ｂに嵌合している。
したがって、図１８Ａ、図１９Ａの状態で、後部外筒１０６を回転させるとカム筒１０８が回転する。この回転が、前記螺旋状カム面１０８ａにより可動部材１０９の板状突出部１０９ａの後端を前方に押圧する方向の回転である場合には、前記板状突出部１０９ａは前記カム筒収容部１０３ａに形成された軸方向に延びる前記図示しないスリットにガイドされて前方に移動する。
このようなにカム筒を回転させることにより可動部材を軸方向に移動させる技術は従来公知（例えば、実用新案登録公報第２５０６２９７号参照）であり、従来公知の種々の構成を採用することが可能である。
【００５５】
前記カム筒収容部１０３ａの後端と前記連結ブロック１０７の前端との間には圧縮バネ１１０が配置されている。前記圧縮バネ１１０によりカム筒１０８は常時後方に移動する力を受けて、カム筒収容部１０３ａの後端面に当接する位置に保持されている。
筆記部材１１１は圧縮バネ１１２により常時後方に押圧されており、筆記部材１１１の後端は前記可動部材１０９に押圧されている。前記筆記部材１１１の後端と可動部材１０９との接合部には互いに嵌合する凸部および凹部が形成されている。
前記カム筒１０８の回転時に前記可動部材１０９が前方に移動した時には前記円錐部材１０２の先端が前方に突出して筆記可能な状態になり、また、前記カム筒１０８の逆回転時には筆記部材１１１は前記圧縮バネ１１２により後方に移動する。
【００５６】
図１８、図１９においてＵＳＢメモリ（接続端子付メモリ）１１２は、メモリ本体１１３と樹脂製の尾栓１１４とを有している。メモリ本体１１３はＵＳＢメモリ（接続端子付メモリ）１１２をメモリ収容孔１０６ｃ内に挿入する際、メモリガイド溝（メモリガイド部）１０６ｄ，１０６ｄによりガイドされる。すなわち、この実施例２のメモリ本体１１３はＵＳＢメモリ１１２の被ガイド部として構成されている。
メモリ本体１１３の前端部にはＵＳＢ端子（接続端子部）１１３ａが設けられている。尾栓１１４の後部は作業者により把持される被ツマミ部１１４ａと、前記被ツマミ部１１４ａの前端から突出する一対の突出部１１４ｂ，１１４ｂと、メモリ嵌合孔１１４ｃとを有している。前記メモリ本体１１３の後端を前記メモリ嵌合孔１１４ｃに押し込むと、前記メモリ本体１１３の後端部は前記被ツマミ部１１４ａの前端部に形成されたメモリ嵌合孔１１４ｃ（図１８Ｃ参照）に圧入され、固定される。前記突出部１１４ｂ，１１４ｂの前端には被係止凹部１１４ｄ，１１４ｄが設けられている。
前記ＵＳＢメモリ１１２を前記メモリ収容孔１０６ｃに挿入すると、突出部１１４ｂ，１１４ｂの前端の被係止凹部１１４ｄ，１１４ｄがメモリ係止部１０６ｅ，１０６ｅに係止される。このとき、ＵＳＢメモリ１１２はメモリ収容孔１０６ｃ内のメモリ装着位置に着脱可能に装着される。
【産業上の利用可能性】
【００５７】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（１）前記実施例１において、前記外筒後端部および前記尾栓前端部うちの一方にメスネジを形成し、他方に前記メスネジと螺合するオスネジを形成して、前記メスネジおよびオスネジを螺合させることにより前記外筒後端部に前記尾栓前端部を着脱可能に装着することが可能である。この場合、尾栓と一体のＵＳＢメモリは前記外筒内部に着脱可能に装着される。
（２）前記接続端子付メモリを筆記具の外筒内に直接装着する実施例２において、前記実施例１と同様に、メモリ収容孔内のメモリ装着位置に前記接続端子付メモリが移動した状態では、前記接続端子付メモリの前記軸回りの所定角度の回転を可能にし且つ、前記接続端子付メモリが軸方向に移動しないように係止するように構成することが可能である。
（３）前記接続端子付メモリを筆記具の外筒内に着脱可能に装着されたメモリ装着筒（筒状カートリッジ）に装着する実施例１において、前記実施例２と同様に、メモリ収容孔内のメモリ装着位置に前記接続端子付メモリが移動した状態で軸回りに回転させずに、前記接続端子付メモリが軸方向に移動しないように係止することが可能である。
【図面の簡単な説明】
【００５８】
【図１】図１は本発明の筆記具の実施例１の全体説明図で、図１Ａは全部品の組立状態の側断面図、図１Ｂは同平断面図である。
【図２】図２は前記図１の筆記具の分解縦断面図である。
【図３】図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
【図４】図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。
【図５】図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
【図６】図６は前記図５に示すスライダ支持ケースの説明図で、図６Ａは前記図５ＣのＶIＡ−ＶIＡ線端面図、図６Ｂは前記図５ＣのＶIＢ−ＶIＢ線端面図、図６Ｃは前記図５ＣのＶIＣ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【図７】図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
【図８】図８は前記図７の平面図で、図８Ａは各部品を組み立てた状態の平面図、図８Ｂは前記図８Ａの分解図である。
【図９】図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
【図１０】図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
【図１１】図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【図１２】図１２は前部外筒およびその表面に装着されるグリップ用ラバーの説明図で、図１２Ａは上面図、図１２Ｂは側面図で前部外筒図１２Ａの矢印ＸIIＢ−ＸIIＢから見た図、図１２Ｃは側断面図で前記図１２ＡのＸIIＣ−ＸIIＣ線断面図である。
【図１３】図１３は前部外筒の説明図で、図１３Ａは前記図１２Ｃの矢印ＸIIIＡ−ＸIIIＡから見た図、図１３Ｂは前記図１２Ｃの矢印ＸIIIＢから見た図、図１３Ｃは前記図１２Ｃの矢印ＸIIIＣで示す部分の詳細図である。
【図１４】図１４は筒状カートリッジと筒状カートリッジ後端に着脱可能なＵＳＢメモリとを説明する図で、図１４Ａは筒状カートリッジと前記筒状カートリッジに着脱可能に装着されたＵＳＢメモリの側断面図、図１４Ｂは前記図１４ＡのＸIＶＢ−ＸIＶＢ線断面図、図１４Ｃは前記図１４ＡのＸIＶＣ−ＸIＶＣ線断面図、図１４Ｄは前記図１４ＡのＸIＶＤ−ＸIＶＤ線端面図、図１４Ｅは前記図１４ＡのＸIＶＥ−ＸIＶＥ線端面図である。
【図１５】図１５は前記図１４に示す筒状カートリッジと前記筒状カートリッジに着脱可能に装着されたＵＳＢメモリの斜視図である。
【図１６】図１６は前記筒状カートリッジと筒状カートリッジ後端に着脱可能なＵＳＢメモリの分解説明図で、図１６Ａは分解斜視図、図１６Ｂは前記図１６ＡのＸＶIＢ−ＸＶIＢ線断面図である。
【図１７】図１７は前記実施例１の筆記具１の後部外筒２のカートリッジ収容部（メモリ収容孔）２０内部に筒状カートリッジ９が装着された状態で、前記筒状カートリッジ９内部にＵＳＢメモリ１０を挿入した状態と、挿入した前記ＵＳＢメモリ１０を回転させて抜け出し不能な装着位置に回転移動させた状態の説明図で、図１７Ａは筆記具の縦断面図、図１７Ｂ〜図１７Ｄ，図１７Ｅ１〜図１７Ｈ１は前記筒状カートリッジ９内部にＵＳＢメモリ１０を挿入した状態での各部分の横断面図、図１７Ｅ２〜図１７Ｈ２は前記筒状カートリッジ９内部にＵＳＢメモリ１０を挿入した前記図１７Ｅ１〜図１７Ｈ１状態でＵＳＢメモリ１０を回転させて筒状カートリッジ９に抜け出し不能に装着した状態を示す図である。
【図１８】図１８は本発明の筆記具の実施例２の全体説明図で、図１８Ａは全部品の組立状態の平断面図、図１８Ｂは前記図１８Ａの矢印ＸＶIIIＢ−ＸＶIIIＢ線から見た図、図１８Ｃは同実施例２の一部断面側面図、図１８Ｄは前記図１８Ｃの矢印ＸＶIIIＤ−ＸＶIIIＤ線から見た図、図１８Ｅは前記図１８Ａの要部の部品分解図、図１８Ｆは前記図１８ＥのＸＶIIIＦ−ＸＶIIIＦ線断面の組立図で前記図１８Ａの要部と同一の図である。
【図１９】図１９は本発明の筆記具の実施例２の要部分解説明図で、図１９ＡはＵＳＢメモリを離脱させた筆記具の平断面図、図１９Ｂは前記図１９Ａの矢印ＸIＸＢ−ＸIＸＢ線から見た図、図１９Ｃは筆記具から離脱した状態のＵＳＢメモリの平面図、図１９Ｄは前記図ＸIＸＣの矢印ＸIＸＤから見た図、図１９ＥはＵＳＢメモリを離脱させた筆記具の一部平断側面図、図１９Ｆは前記図１９Ｅの矢印ＸIＸＦ−ＸIＸＦ線から見た図、図１９Ｇは筆記具から離脱した状態のＵＳＢメモリの側面図、図１９Ｈは前記図ＸIＸＧの矢印ＸIＸＨから見た図である。
【符号の説明】
【００５９】
９…メモリ装着筒（筒状カートリッジ）、
１０…接続端子付メモリ（ＵＳＢメモリ）、
１１…メモリ本体（被ガイド部）、
１２…尾栓、
１２ａ…被ツマミ部、
２０…メモリ収容孔、
２１…メモリ挿入口、
９２ａ…メモリ装着孔、
９２ｂ…メモリ着脱口、
９２ｃ…メモリガイド部、
９２ｄ…係止部、
１０６ｃ…メモリ収容孔、
１０６ｄ…メモリガイド部、
１０６ｅ…係止部、
１０６ｆ…メモリ挿入口、
１１１…筆記部材、
１１２…接続端子付メモリ（ＵＳＢメモリ）、
１１３…メモリ本体（被ガイド部）、
１１３ａ…接続端子部、
１１４…尾栓、
１１４ａ…被ツマミ部、
（２＋７）…外筒、
（１０１＋１０６）…外筒、
【図１】
2005319669.tif 000003
【図２】
2005319669.tif 000004
【図３】
2005319669.tif 000005
【図４】
2005319669.tif 000006
【図５】
2005319669.tif 000007
【図６】
2005319669.tif 000008
【図７】
2005319669.tif 000009
【図８】
2005319669.tif 000010
【図９】
2005319669.tif 000011
【図１０】
2005319669.tif 000012
【図１１】
2005319669.tif 000013
【図１２】
2005319669.tif 000014
【図１３】
2005319669.tif 000015
【図１４】
2005319669.tif 000016
【図１５】
2005319669.tif 000017
【図１６】
2005319669.tif 000018
【図１７】
2005319669.tif 000019
【図１８】
2005319669.tif 000020
【図１９】
2005319669.tif 000021